(57)【特許請求の範囲】
【請求項１】
ディジタル放送信号の信号レベルを測定して表示部に当該信号レベルを表示する信号レベル測定装置において，
あらかじめ決められた帯域幅を有した入力信号の信号レベルを，前記信号の帯域幅より狭い帯域幅で，複数の周波数ポイントにて測定する測定手段と，
前記測定手段で測定した複数の信号レベルを記憶するための記憶手段と，
前記記憶手段で記憶した複数の信号レベルの平均値を算出して前記表示部に表示する平均レベル算出手段と，
を備え，前記測定手段は，前記信号の帯域幅内で信号レベルを測定すべき複数の周波数ポイントを，乱数を用いてランダムに設定し，
前記平均レベル算出手段は，前記測定手段に入力される信号の帯域幅と測定対象となるディジタル放送信号の実際の帯域幅との違いによって生じる測定誤差を補正するための校正データを用いて，前記複数の信号レベルから算出した平均値を補正することを特徴とする信号レベル測定装置。
【請求項２】
前記記憶手段で記憶した複数の信号レベルに基づき，最大値及び最小値を算出すると共に前記最大値と最小値の差の値を算出して前記表示部に表示するリップル算出手段を備えさせたことを特徴とする請求項１に記載の信号レベル測定装置。
【発明の詳細な説明】
【技術分野】
【０００１】
本発明は，入力信号の信号レベルを測定する信号レベル測定装置に関する。
【背景技術】
【０００２】
従来より，テレビジョン放送用の送信電波の電界強度を測定したり，受信アンテナの向きを調整するためにレベルチェッカーが使用されている。
この種のレベルチェッカーは，通常，受信アンテナからの受信信号を伝送する伝送線に接続して使用され，対象となる放送チャネルを指定すると，その指定した放送チャネルについて受信信号の信号レベルを測定し，その測定結果を数値やバーグラフ等を用いて表示するように構成されている。（例えば，特許文献１参照）
また，地上波テレビジョン放送をはじめ，衛星放送やＣＡＴＶにおいても受信信号レベルまたはテレビ端子における信号レベルを測定したいという要望が高まっている。ところが，地上波テレビジョン放送，衛星放送やＣＡＴＶでは伝送チャネルの帯域幅や，変調方式が異なるなどの理由から１台の信号レベル測定装置でもって測定することは困難であった。そこで発明者らにより，伝送チャネルの帯域幅や変調方式が異なる，地上波テレビジョン放送，衛星放送およびＣＡＴＶにおいても，１台の信号レベル測定装置でもって測定できる信号レベル測定装置が考えられた。（例えば，特許文献２参照）
特許文献２によると，受信信号の伝送帯域より狭い帯域幅で受信した受信信号レベルを受信信号の伝送帯域幅に換算して，信号レベル測定装置の表示部に信号レベルとして表示するようにしている。
【０００３】
【特許文献１】特公平０７−８６５２０号公報
【特許文献２】特願２００２−１９０１７５号
【発明の開示】
【発明が解決しようとする課題】
【０００４】
ところで，従来の技術では，受信信号レベルが安定している場合はよいが，伝送系においてフェージングやマルチパスが発生すると，受信信号レベルが変動するため，狭い帯域幅で受信した受信信号レベルを，受信信号の伝送帯域幅に換算しても，信号レベル測定装置の表示部に正しい信号レベルを表示することができないという問題があった。
本発明は，上記問題点を解決するためになされたものであり，伝送系においてフェージングやマルチパスが発生して信号レベルが変動してもテレビジョン放送信号の信号レベルを正確に測定可能な信号レベル測定装置を提供することを目的とする。
【課題を解決するための手段】
【０００５】
かかる目的を達成するためになされた請求項１に記載の発明は，ディジタル放送信号の信号レベルを測定して表示部に当該信号レベルを表示する信号レベル測定装置において，
あらかじめ決められた帯域幅を有した入力信号の信号レベルを，前記信号の帯域幅より狭い帯域幅で，複数の周波数ポイントにて測定する測定手段と，
前記測定手段で測定した複数の信号レベルを記憶するための記憶手段と，
前記記憶手段で記憶した複数の信号レベルの平均値を算出して前記表示部に表示する平均レベル算出手段と，
を備え，前記測定手段は，前記信号の帯域幅内で信号レベルを測定すべき複数の周波数ポイントを，乱数を用いてランダムに設定し，
前記平均レベル算出手段は，前記測定手段に入力される信号の帯域幅と測定対象となるディジタル放送信号の実際の帯域幅との違いによって生じる測定誤差を補正するための校正データを用いて，前記複数の信号レベルから算出した平均値を補正することを特徴とする。
【０００７】
また，請求項２に記載の発明は，請求項１に記載の信号レベル測定装置において，前記記憶手段で記憶した複数の信号レベルに基づき，最大値及び最小値を算出すると共に前記最大値と最小値の差の値を算出して前記表示部に表示するリップル算出手段を備えたことを特徴とする。
【発明の効果】
【０００８】
以上詳述したように，請求項１に記載の信号レベル測定装置によれば，測定手段が，入力信号の信号レベルを，その信号の帯域幅より狭い帯域幅で，複数の周波数ポイントにて測定し，平均レベル算出手段が，その測定された複数の信号レベルの平均値を算出して表示部に表示することから，ディジタル放送信号の伝送系においてフェージングやマルチパスが発生して信号レベルが変動しても，ディジタル放送信号の信号レベルを正確に測定することができる。また特に，本発明では，測定手段が，レベル測定する複数の周波数ポイントを，乱数を用いてランダムに設定することから，周期的なレベル変動が発生してもディジタル放送信号の信号レベルを正確に測定できる。
【０００９】
また，本発明では，平均レベル算出手段が，複数の信号レベルから算出した平均値を，校正データを用いて補正することから，ディジタル放送信号の信号レベルをより正確に測定できる。
【００１０】
次に，請求項２に記載の信号レベル測定装置によれば，リップル算出手段が，記憶手段で記憶した複数の信号レベルに基づき，最大値及び最小値を算出すると共に，最大値と最小値の差の値を算出して表示部に表示するので，受信チャネルに対応する受信信号レベルと共に，当該チャネルでのフェージングやマルチパスにおける受信信号レベルのリップルの度合いを表示部に表示できる信号レベル測定装置を提供することができる。
【発明を実施するための最良の形態】
【００１１】
以下に本発明の実施形態を図面と共に説明する。
図１は，テレビジョン放送用の信号レベルを測定する信号レベル測定装置（レベルチェッカーとも言う）１０の構成を表すブロック図である。
なお，本実施形態のレベルチェッカー１０では，地上波放送（ＣＡＴＶを含む）用の信号について測定する際に設定する地上波モード，衛星放送用の信号について測定する際に設定する衛星モードとがあり，地上波モードでは，放送チャネルを指定し，衛星モードでは衛星及びトランスポンダを指定して，これら放送チャネル（帯域幅６ＭＨｚ）或いはトランスポンダ（帯域幅３４．５ＭＨｚ／２７ＭＨｚ）毎に信号レベルの測定を行うものである。
【００１２】
図１に示すように，本実施形態のレベルチェッカー１０は，衛星放送を受信する受信アンテナからの受信信号の信号レベルを測定する際に，入力端子１１に接続される伝送線を介して受信アンテナのコンバータに電源供給を行うための電源回路１２と，入力端子１１に印加される入力信号を電源回路１２が供給する電圧信号から分離する電源フィルタ１３と，電源フィルタ１３にて分離された入力信号から，選択された周波数を中心とする所定帯域幅の被測定信号を抽出する選局回路１４と，選局回路１４にて抽出された被測定信号を復調する復調回路１５と，復調回路１５が出力する復調信号ならびに入力信号レベルに対応する電圧レベルをディジタル値に変換するＡ／Ｄコンバータ１６と，測定モード（地上波モード／衛星モード）や測定すべき対象（放送チャネル／衛星，トランスポンダ番号）等を指定するための操作部１７と，液晶表示パネル等からなる表示部１８と，この表示部１８を駆動する表示回路１９と，ＣＰＵ，ＲＯＭ，ＲＡＭを中心とする周知のマイクロコンピュータからなり，操作部１７を介して入力される指示に従って各種処理を実行する制御回路２０と，外部機器と接続するための外部端子２１とを備えている。
【００１３】
そして，選局回路１４は，図２に示すように，電源フィルタ１３が分離した入力信号のうち，衛星放送用の信号（以下「衛星信号」という）の伝送に使用される高周波帯（９５０ＭＨｚ以上）を通過域とするハイパスフィルタ，地上波放送用の信号（以下「地上波信号」という）の伝送に使用される低周波帯（７７０ＭＨｚ以下）を通過域とするローパスフィルタからなる信号分離フィルタ２２と，分離された衛星信号のうち，選択されたトランスポンダからの信号を抽出する衛星信号処理部３０と，分離された地上波信号のうち，選択された放送チャネルからの信号を抽出する地上波信号処理部４０とを備えている。
【００１４】
このうち，衛星信号処理部３０は，衛星信号を入力信号とし，この入力信号を増幅する増幅回路３１と，増幅後の入力信号をレベル測定可能な所定レベルにまで減衰させる可変減衰器３２と，選択されたトランスポンダ（以下「選択トランスポンダ」という）に従って，発振周波数を変更可能な可変発振回路３３と，可変減衰器３２からの入力信号に可変発振回路からのローカル信号を混合して，選択トランスポンダの帯域内の所定周波数が，予め設定された測定周波数ｆos（本実施形態では４０２．７８ＭＨｚ）に変換されるように入力信号をダウンコンバートするミキサ３４と，バンドパスフィルタからなり，ミキサ３４にてダウンコンバートされた入力信号から測定周波数ｆosを中心とする所定帯域幅（本実施形態では±０．５ＭＨｚ）の被測定信号を抽出する信号抽出フィルタ３５と，抽出された被測定信号を，波形が歪まない適度な大きさに増幅する増幅回路３６，ＡＧＣ回路３７とからなる。
【００１５】
また，地上波信号処理部４０は，地上波信号を入力信号とし，衛星信号処理部３０と同様に，増幅回路４１，可変減衰器４２，可変発振回路４３，ミキサ４４，信号抽出フィルタ４５，増幅回路４６，ＡＧＣ回路４７を備えている。
但し，ミキサ４４は，可変発振回路４３からのローカル信号に基づいて，選択された放送チャネル（以下「選択チャネル」という）の帯域内の所定周波数が，予め設定された測定周波数ｆoe（本実施形態では５４．２５ＭＨｚ）に変換されるように入力信号をダウンコンバートし，信号抽出フィルタ４５は，測定周波数ｆoeを中心とする所定帯域幅（本実施形態では±０．２５ＭＨｚ）の被測定信号を抽出するように構成されている。
【００１６】
なお，選択チャネルの帯域内の所定周波数として具体的には，図５（ａ）に示すように，選択チャネルの中心周波数ｆｃ，選択チャネルにて伝送される信号がアナログ放送用の信号であるとした場合における映像搬送波周波数ｆｖ（＝ｆｃ−１．７５ＭＨｚ），音声搬送波周波数ｆａ（＝ｆｖ＋４．５ＭＨｚ）が使用される。
また，図５（ｂ）に示すように，選択チャネルにて伝送される信号が地上波ディジタル放送用の信号であるとした場合は選択チャネルの周波数帯域内においてランダムに複数ポイントを抽出した周波数が使用される。
また，選択トランスポンダの帯域内の所定周波数として具体的には，図５（ｃ）に示すように，選択トランスポンダの中心周波数ｆｃ，及び端部周波数ｆｔ（＝ｆｃ−８ＭＨｚ）が使用される。
【００１７】
このように構成された選局回路１４では，動作モードが地上波アナログモードの時には，地上波信号処理部４０が動作し，制御回路２０からの指示に従って，選択チャネルの帯域内の所定周波数ｆｃ，ｆｖ，ｆａのいずれかを中心とする帯域幅０．５ＭＨｚの範囲内の信号を抽出して復調回路１５に供給する。
また，動作モードが地上波ディジタルモードの時には，地上波信号処理部４０が動作し，制御回路２０からの指示に従って，選択チャネルの帯域内でランダムに抽出された複数の所定周波数を中心とする帯域幅０．５ＭＨｚの範囲内の信号を抽出して復調回路１５に供給する。
一方，動作モードが衛星モードの時には，衛星信号処理部３０が動作し，制御回路２０からの指示に従って，選択トランスポンダの帯域内の所定周波数ｆｃ，ｆｔのいずれかを中心とする帯域幅１ＭＨｚの範囲内の信号を抽出して復調回路１５に供給する。
【００１８】
次に，制御回路２０が実行する信号レベル測定処理について説明する。
なお，制御回路２０を構成するＲＯＭには，信号レベル測定処理のプログラムの他，操作部１７を介して選択される放送チャネルやトランスポンダと，その中心周波数とを対応づけた情報が記憶されていると共に，チャネルやトランスポンダの実際の帯域幅より狭い信号抽出フィルタ３５，４５にて被測定信号を抽出していることによる信号レベルの測定値のずれを補正するための校正データが記憶されている。
この校正データＥｋは，ディジタル放送用の信号に対して適用され，放送用チャネルやトランスポンダの帯域幅をＢ，信号抽出フィルタ３５，４５の帯域幅をｂとして，次式（１）により算出されたものである。
Ｅｋ＝１０ｌｏｇ（Ｂ／１．２ｂ）              （１）
但し，式中の値１．２は，理想的な矩形フィルタではない信号抽出フィルタ３５，４５にて実際に抽出される信号の電力は，帯域幅ｂから算出される値より大きなものとなるため，その増加分を近似するためのものである。
また，帯域幅Ｂは，実際の帯域幅Ｂ０ではなく，伝送レートや変調方式に従って補正した換算値を使用する必要があり，その具体的な例を［表１］に示す。
【表１】
0004842506.tif 000002
つまり，被測定信号がディジタル放送用の信号であった場合には，Ａ／Ｄコンバータ１６を介して取り込んだ値に，この校正データＥｋを加えたものが測定結果となる。
【００１９】
ここで，まず，操作部１７にて地上波モードが選択された時に，制御回路２０が実行する信号レベル測定処理を，図３に示すフローチャートに沿って説明する。
なお，レベルチェッカー１０の入力端子１１には，地上波テレビジョン放送用の信号が伝送される同軸ケーブルが接続されているものとする。
図３に示すように，本処理が起動されると，まず操作部１７での操作により選択された放送チャネル（選択チャネル）の設定を読み込み（Ｓ１１０），その選択チャネルの中心周波数ｆｃを第１周波数ｆ１として，地上波信号処理部４０に，その第１周波数ｆ１近傍の被測定信号を抽出させ，その信号レベルＥ１を測定する（Ｓ１２０）。
次に，選択チャネルの映像搬送波周波数ｆｖを第２周波数ｆ２とし，地上波信号処理部４０に，その第２周波数ｆ２近傍の被測定信号を抽出させ，その信号レベルＥ２を測定する（Ｓ１３０）。
そして，第２周波数ｆ２の信号レベルＥ２が第１周波数の信号レベルＥ１より所定のしきい値Ｅth（本実施形態では５ｄＢ）以上大きいか否かを判断し（Ｓ１４０），Ｅ２−Ｅ１＞Ｅthであれば，選択チャネルの信号はアナログ放送用の信号であるものとして，地上波信号処理部４０に，選択チャネルの映像搬送波周波数ｆｖ近傍の被測定信号を抽出させ，その信号レベルＥｖを測定する（Ｓ１５０）。
続けて，地上波信号処理部４０に，選択チャネルの音声搬送波周波数ｆａ近傍の被測定信号を抽出させ，その信号レベルＥａを測定し（Ｓ１６０），これら測定した信号レベルＥｖ，Ｅａを表示部１８に表示させる（Ｓ１７０）。
その後，操作部１７にてチャネル変更等のキー操作が行われたか否かを判断し（Ｓ１８０），操作が行われていなければ，Ｓ１５０に戻って信号レベルＥｖ，Ｅａの測定，表示をする処理を繰り返し実行し，一方，操作が行われていれば，Ｓ１１０に戻って，変更された設定に従って処理を最初からやり直す。
【００２０】
次に，先のＳ１４０にて，Ｅ２−Ｅ１≦Ｅthであると判定された場合には，選択チャネルの信号はディジタル放送用の信号であるものとして，Ｓ１９０〜Ｓ３００の処理を実行する。ここで，入力信号の帯域幅Ｂ０  ，入力信号帯域幅の分割数をＰＲ  （本実施例では１００に設定している。），測定ポイント数をＭ（本実施例では１０に設定している。），選択チャネルの中心周波数ｆｃとする。
まず，変数ｎに１を設定し（Ｓ１９０），続くＳ２００で乱数Ｒを発生し（本実施例では上記，入力信号帯域幅の分割数ＰＲ  に対応するように，０から９９の１００通りの乱数を発生している。），乱数Ｒの値が入力信号帯域幅の分割数ＰＲ  の半分より大きいか判断し（Ｓ２１０），大きい場合はＳ２２０にて測定周波数ｆｎを算出しＳ２３０に遷移する。一方，Ｓ２１０で乱数Ｒの値が入力信号帯域幅の分割数ＰＲ  の半分と等しいか，または小さいと判断した場合はＳ２２５にて測定周波数ｆｎを算出しＳ２３０に遷移する。そして，Ｓ２３０ではＳ２２０，Ｓ２２５で算出した測定周波数ｆｎにおける信号レベルＥｎを測定する。さらに，測定した信号レベルＥｎを記憶装置ＲＡＭに記憶する（Ｓ２４０）。続くＳ２５０では変数nをインクリメントし，変数nの値が測定ポイント数Ｍの値と等しいか，または小さい場合はＳ２００に戻り測定を繰り返す（Ｓ２６０）。一方，Ｍ個の測定が終了した場合は，Ｓ２７０で信号レベルＥｎの平均値Ｅｎ（ａｖｅ），Ｅｎの最大値Ｅｎ（ｍａｘ），Ｅｎの最小値Ｅｎ（ｍｉｎ）を算出すると共に，Ｅｎの最大値Ｅｎ（ｍａｘ）からＥｎの最小値Ｅｎ（ｍｉｎ）を減算することにより，信号レベルＥｎのリップル値ｅｎを算出する。
そして，その信号レベルＥｎ（ａｖｅ）に，校正データＥｋを加えることで帯域幅換算し（Ｓ２８０），その換算した結果である換算信号レベルＥｄ及び，リップル値ｅｎを，表示部１８に表示させる（Ｓ２９０）。
その後，操作部１７にてチャネル変更等のキー操作が行われたか否かを判断し（Ｓ３００），操作が行われていなければ，Ｓ１９０に戻って信号レベルＥｎの測定，換算，換算信号レベルＥｄの表示をする処理を繰り返し実行し，一方，操作が行われていれば，Ｓ１１０に戻って，変更された設定に従って処理を最初からやり直す。
なお，指定した放送用チャネルから信号が送出されていない場合には，Ｓ１４０にてＥ２−Ｅ１≦Ｅthであると判定されるが，表示される信号レベルから信号の有無は容易に判断することができる。
また，本実施例では測定ポイントの不等間隔を実現するため乱数を，用いたがこれに限定されることはなく，他の方法であってもよい。
【００２１】
次に，操作部１７にて衛星モードが選択された時に，制御回路２０が実行する信号レベル測定処理を，図４に示すフローチャートに沿って説明する。
なお，レベルチェッカー１０の入力端子１１には，衛星放送用の信号が伝送される同軸ケーブルが接続されているものとする。
図４に示すように，本処理が起動されると，まず操作部１７での操作により選択された衛星，トランスポンダ（選択トランスポンダ）の設定を読み込み（Ｓ３１０），その選択トランスポンダの中心周波数ｆｃを第１周波数ｆ１として，衛星信号処理部３０に，その第１周波数ｆ１近傍の被測定信号を抽出させ，その信号レベルＥ１を測定する（Ｓ３２０）。
次に，選択トランスポンダの端部周波数ｆｔを第２周波数ｆ２とし，衛星信号処理部３０に，その第２周波数ｆ２近傍の被測定信号を抽出させ，その信号レベルＥ２を測定する（Ｓ３３０）。
そして，第１周波数ｆ１の信号レベルＥ１が第２周波数の信号レベルＥ２より所定のしきい値Ｅth（本実施形態では５ｄＢ）以上大きいか否かを判断し（Ｓ３４０），Ｅ１−Ｅ２＞Ｅthであれば，選択トランスポンダの信号はアナログ放送用の信号であるものとして，衛星信号処理部３０に，選択トランスポンダの中心周波数ｆｃ近傍の被測定信号を抽出させ，その信号レベルＥｃを測定し（Ｓ３５０），その測定した信号レベルＥｃを表示部１８に表示させる（Ｓ３７０）。
その後，操作部１７にて衛星やトランスポンダ変更等のキー操作が行われたか否かを判断し（Ｓ３８０），操作が行われていなければ，Ｓ３５０に戻って，信号レベルＥｃの測定，表示をする処理を繰り返し実行し，一方，操作が行われていれば，Ｓ３１０に戻って，変更された設定に従って処理を最初からやり直す。
【００２２】
次に，先のＳ３４０にて，Ｅ１−Ｅ２≦Ｅthであると判定された場合には，選択トランスポンダの信号はディジタル放送用の信号であるものとして，Ｓ３９０〜Ｓ５００の処理を実行する。ここで，選択トランスポンダ信号の帯域幅Ｂ０  ，選択トランスポンダ信号の帯域幅の分割数をＰＲ  （本実施例では１００に設定している。），測定ポイント数をＭ（本実施例では１０に設定している。），選択トランスポンダ信号の中心周波数ｆｃとする。
まず，変数ｎに１を設定し（Ｓ３９０），続くＳ４００で乱数Ｒを発生し（本実施例では上記，選択トランスポンダ信号の帯域幅の分割数ＰＲ  に対応するように，０から９９の１００通りの乱数を発生している。），乱数Ｒの値が選択トランスポンダ信号の帯域幅の分割数ＰＲ  の半分より大きいか判断し（Ｓ４１０），大きい場合はＳ４２０にて測定周波数ｆｎを算出しＳ４３０に遷移する。一方，Ｓ４１０で乱数Ｒの値が選択トランスポンダ信号の帯域幅の分割数ＰＲ  の半分と等しいか，または小さいと判断した場合はＳ４２５にて測定周波数ｆｎを算出しＳ４３０に遷移する。そして，Ｓ４３０ではＳ４２０，Ｓ４２５で算出した測定周波数ｆｎにおける信号レベルＥｎを測定する。さらに，測定した信号レベルＥｎを記憶装置ＲＡＭに記憶する（Ｓ４４０）。続くＳ４５０では変数nをインクリメントし，変数nの値が測定ポイント数Ｍの値と等しいか，または小さい場合はＳ４００に戻り測定を繰り返す（Ｓ４６０）。一方，Ｍ個の測定が終了した場合は，Ｓ４７０で信号レベルＥｎの平均値Ｅｎ（ａｖｅ），Ｅｎの最大値Ｅｎ（ｍａｘ），Ｅｎの最小値Ｅｎ（ｍｉｎ）を算出すると共に，Ｅｎの最大値Ｅｎ（ｍａｘ）からＥｎの最小値Ｅｎ（ｍｉｎ）を減算することにより，信号レベルＥｎのリップル値ｅｎを算出する。
そして，その信号レベルＥｎ（ａｖｅ）に，校正データＥｋを加えることで帯域幅換算し（Ｓ４８０），その換算した結果である換算信号レベルＥｄ及び，リップル値ｅｎを，表示部１８に表示させる（Ｓ４９０）。
その後，操作部１７にて衛星やトランスポンダ変更等のキー操作が行われたか否かを判断し（Ｓ５００），操作が行われていなければ，Ｓ３９０に戻って信号レベルＥｎの測定，換算，換算信号レベルＥｄの表示をする処理を繰り返し実行し，一方，操作が行われていれば，Ｓ３１０に戻って，変更された設定に従って処理を最初からやり直す。
【００２３】
以上説明したように，伝送系においてフェージングやマルチパスが発生しても選択チャネル内で選択された複数の周波数にて信号レベルを測定し，その平均値を基に表示しているので，リップル成分が平均化されることになり，テレビジョン放送信号の信号レベルを正確に測定し表示できるという優れた効果を奏する。
また，周波数を選択する際，ランダムに抽出したので信号レベルが周期的に変動していてもリップルの影響を軽減できるため，テレビジョン放送信号の信号レベルを正確に測定できる。さらには，信号レベルの測定にかかる処理時間を短縮できる効果を奏する。
また，受信信号レベルのリップル量を同時に表示できるので，当該チャネルでのフェージングやマルチパスの度合いを把握することができ，アンテナ設置の際，最適な設置位置を見つけることができる。
【００２４】
なお，本実施形態において，Ｓ１９０〜Ｓ２６０，Ｓ３９０〜Ｓ４６０が測定手段に相当し，Ｓ２４０，Ｓ４４０が記憶手段に相当し，Ｓ２７０，Ｓ２８０，Ｓ４７０，Ｓ４８０が平均レベル算出手段に相当し，Ｓ２７０，Ｓ４７０がリップル算出手段に相当する。
【００２５】
以上本発明の実施形態について説明したが，本発明は上記実施形態に限定されるものではなく，様々な態様にて実施することが可能である。  例えば，本実施例では入力信号帯域幅の分割数ＰＲ  を１００，アナログ／ディジタル判別のしきい値Ｅｔｈを５ｄＢ，衛星信号の抽出フィルタの帯域幅を±０．５ＭＨｚ，地上波テレビ信号の抽出フィルタの帯域幅を±０．２５ＭＨｚ，測定ポイント数Ｍを１０としたが，この値に限定されるものではなく，使用するシステムに応じて適宜設定すればよい。
また，本実施例では選択チャネル内でランダムに抽出した複数の測定ポイントにおいて測定した各信号レベルを平均した後，その得られた平均の信号レベルを信号の帯域幅Ｂで帯域幅換算して被測定信号の信号レベルを求めているが，たとえば，信号の帯域幅Ｂを信号抽出フィルタの帯域幅で均等に分割し，分割した各測定ポイントで測定した信号レベルをそれぞれ分割した帯域幅で帯域幅換算しておき，換算後の各信号レベルを加算して総和を求めることで被測定信号の信号レベルを算出してもよい。この場合，分割数を大きくすることにより，測定時間は要するものの，信号レベルの測定精度を上げることができる。
また，上記実施形態では，地上波テレビジョン放送用の信号，及び衛星テレビジョン放送用の信号のいずれも測定可能なように構成されているが，いずれか一方のみを測定するように構成してもよい。
更に，上記実施形態では，ディジタル放送用信号の信号レベルを補正する際に使用する校正データＥｋとして（１）式を用いて算出したものを用いているが，予めレベル校正が行われたレベルチェッカーを使用して，入力信号が変調されている時と変調されていない時（キャリアのみ）とで信号レベルを測定し，そのレベル差を校正データＥｋとして用いてもよい。この場合，例えば，無変調時に測定した信号レベルが８０ｄＢ，変調時に測定した信号レベルが７６ｄＢであれば，その差の４ｄＢを校正データＥｋとすればよい。
【図面の簡単な説明】
【００２６】
【図１】信号レベル測定装置の全体構成を示すブロック図である。
【図２】選局回路の構成を示すブロック図である。
【図３】信号レベル測定処理（地上波モード）の内容を示すフローチャートである。
【図４】信号レベル測定処理（衛星モード）の内容を示すフローチャートである。
【図５】測定する周波数ポイントを示す説明図である。
【符号の説明】
【００２７】
１０…レベルチェッカー，１１…入力端子，１２…電源回路，１３…電源フィルタ，１４…選局回路，１５…復調回路，１６…Ａ／Ｄコンバータ，１７…操作部，１８…表示部，１９…表示回路，２０…制御回路，２１…外部端子，２２…信号分離フィルタ，３０…衛星信号処理部，３１，３６，４１，４６…増幅回路，３２，４２…可変減衰器，３３，４３…可変発振回路，３４，４４…ミキサ，３５，４５…信号抽出フィルタ，３７，４７…ＡＧＣ回路，４０…地上波信号処理部。
【図１】
0004842506.tif 000003
【図２】
0004842506.tif 000004
【図３】
0004842506.tif 000005
【図４】
0004842506.tif 000006
【図５】
0004842506.tif 000007